Podtech/llm-jp-corpus-v4-ja_patent huggingface dataset:
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
ErbB2キナーゼの過剰発現に関連する状態の治療に使用する物質であって、エピカテキン、カテキン、下記の構造式Aを有する高分子化合物、およびその薬剤的に許容できる塩、誘導体または酸化生成物から選択される化合物の有効な量を含むことを特徴とする物質。
【化１】
2007508316.tif 000001
（ここで、
nは2から18までの整数である；
RおよびXはそれぞれαまたはβ配置を有する；
RはOHである；
C-4、C-6およびC-8の置換基はそれぞれX、ZおよびYであり、単量体単位の結合がC-4、C-6およびC-8で生じる；
C-4、C-6またはC-8のいずれかが別の単量体単位に結合しない場合、X、YおよびZは水素である。）
【請求項２】
前記ErbB2の過剰発現と関連する状態が、ErbB2キナーゼ過剰発現により特徴付けられる癌であることを特徴とする請求項１記載の物質。
【請求項３】
nが5であることを特徴とする請求項２記載の物質。
【請求項４】
nが8であることを特徴とする請求項２記載の物質。
【請求項５】
前記癌が乳癌であることを特徴とする請求項３または４記載の物質。
【請求項６】
前記癌が転移性乳癌であることを特徴とする請求項３または４記載の物質。
【請求項７】
前記癌が卵巣癌であることを特徴とする請求項３または４記載の物質。
【請求項８】
前記癌が咽頭癌であるかまたは膀胱癌、唾液腺癌、子宮内膜癌、膵癌および非小細胞肺癌から選択されることを特徴とする請求項３または４記載の物質。
【請求項９】
前記癌が前立腺癌であることを特徴とする請求項３または４記載の物質。
【請求項１０】
追加の化学療法薬と一緒にまたは化学療法の効果を強めるために投与されることを特徴とする請求項１から９いずれか１項記載の物質。
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
生成物混合物を塩基と、任意選択により多価アルコールの存在下で接触させて、塩基で処理した混合物を生成することと、前記塩基で処理した混合物を蒸留装置に導入することと、前記塩基で処理した混合物を蒸留することとを含み、芳香族アミンをフェノール化合物から分離する方法であって、前記生成物混合物が芳香族アミンとフェノール化合物を含むことを特徴とする方法。
【請求項２】
前記塩基と前記フェノール化合物のモル比が約１：１〜約４：１の範囲であり、前記塩基が、水酸化リチウム、水酸化ナトリウム、水硫化ナトリウム、二硫化ナトリウム、水酸化カリウム、水硫化カリウム、二硫化カリウム、水酸化カルシウム、水酸化マグネシウム、重炭酸ナトリウム、炭酸ナトリウム、硫化ナトリウム、酸化ナトリウム、酸化マグネシウム、酸化カルシウム、炭酸カルシウム、ナトリウムフェノキシド、バリウムフェノキシド、カルシウムフェノキシド、水酸化テトラメチルアンモニウム、水酸化テトラエチルアンモニウム、水酸化テトラプロピルアンモニウム、二硫化テトラメチルアンモニウム、二硫化テトラエチルアンモニウム、またはその任意の２つ以上の組合せであることを特徴とする請求項１に記載の方法。
【請求項３】
前記塩基と前記フェノール化合物のモル比が１：１〜２：１の範囲であり、前記塩基が水酸化カリウム、水酸化ナトリウム、またはその組合せであることを特徴とする請求項２に記載の方法。
【請求項４】
前記接触を、トリメチレングリコール、トリエチレングリコール、グリセロール、エチレングリコール、ジエチレングリコール、１，２−プロパンジオール、１，３−プロパンジオール、トリプロピレングリコール、ポリエチレングリコール、ポリプロピレングリコール、またはその２つ以上の組合せである多価アルコールの存在下で実施することを特徴とする請求項１〜３のいずれか１項に記載の方法。
【請求項５】
前記塩基と前記フェノール化合物のモル比が１：１〜４：１の範囲であり、
前記塩基が、水酸化リチウム、水酸化ナトリウム、水酸化カルシウム、水酸化マグネシウム、重炭酸ナトリウム、炭酸ナトリウム、酸化ナトリウム、酸化マグネシウム、酸化カルシウム、炭酸カルシウム、水酸化テトラメチルアンモニウム、水酸化テトラエチルアンモニウム、水酸化テトラプロピルアンモニウム、二硫化テトラメチルアンモニウム、二硫化テトラエチルアンモニウム、またはその任意の２つ以上の組合せであり、
前記アミンが、アニリン、トルイジン、クロロアニリン、ブロモアニリン、ヨードアニリン、クロロトルイジン、ブロモトルイジン、ヨードトルイジン、ベンジルアミン、Ｎ−ベンジルアミン、エチルアニリン、フルオロメチルアニリン、クロロメチルアニリン、ブロモメチルアニリン、またはその２つ以上の組合せであることを特徴とする請求項１に記載の方法。
【請求項６】
前記接触を、トリメチレングリコール、トリエチレングリコール、グリセロール、エチレングリコール、ジエチレングリコール、１，２−プロパンジオール、１，３−プロパンジオール、トリプロピレングリコール、ポリエチレングリコール、ポリプロピレングリコール、またはその２つ以上の組合せである多価アルコールの存在下で実施することを特徴とする請求項５に記載の方法。
【請求項７】
ｏ−クレゾールおよびｏ−トルイジンを含む混合物中のｏ−クレゾールをｏ−トルイジンから分離する方法であって、前記混合物を水酸化カリウムと接触させて、塩基で処理した混合物を生成することと、前記塩基で処理した混合物を蒸留することとを含むことを特徴とする請求項６に記載の方法。
【請求項８】
前記多価アルコールがポリエチレングリコールであることを特徴とする請求項７に記載の方法。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
【化１】
2007508317.tif 000001
(Y)3-O-[β-D-ガラクトピラノシル(1->2)]-α-L-アラビノフラノシル(1->3)-β-D-グルクロノピラノシル-21,22-O-ジアンゲロイル-3β, 15α, 16α, 21β, 22α, 28-ヘキサヒドロキシオレアン-12-エンまたはその塩、エステル、誘導体、または代謝産物から成るグループから選ばれる化合物。C65H100O27厳密質量：1312.6452分子量：1313.4733C, 59.44; H, 7.67; O, 32.89、
【請求項２】
【化２】
2007508317.tif 000002
上式において、R1、R2、R3、およびR4は、短い脂肪族鎖であり、R5およびR6はオキシル基を含む式の化合物、またはその塩、エステル、誘導体、または代謝産物。
【請求項３】
R1、R2、R3、およびR4はCH3を含み、R5はOHを含み、R6はHまたはOHを含み、位置23-27、29および30は、CH3またはCH2OHまたはCOOHを含むことを特徴とする、請求項2の化合物。
【請求項４】
腫瘍またはガン細胞増殖を抑制することが可能な組成物であって、前記ガンは、乳ガン、白血球ガン、肝臓ガン、卵巣ガン、膀胱ガン、前立腺ガン、皮膚ガン、骨ガン、または脳のガンであることを特徴とする請求項1から３のいずれか一つの化合物の有効量を含む前記組成物。
【請求項５】
請求項1から３のいずれか一つの化合物の有効量、および、製薬学的に受容可能な担体を含む製薬組成物。
【請求項６】
Xanthoceras sorbifoliaから得られる治療的化合物の特定法であって、前記Xanthoceras Sorbifolia粉末は、Xanthoceras Sorbifolia天然木の種皮、枝、幹、葉、核、根、樹皮、または種殻から得られ、  (a)Xanthoceras Sorbifolia粉末を、適当量の有機溶媒によって適当時間抽出して、有機抽出物を形成すること；  (b)有機抽出物を収集すること；  (c)有機抽出物を有機溶媒と共に適当時間環流して第二抽出物を形成すること；  (c)第二抽出物から有機溶媒を除去すること；  (d)第二抽出物を乾燥し滅菌して、Xanthoceras Sorbifolia抽出物を形成すること；  (e)Xanthoceras Sorbifolia抽出物を（HPLC）高圧液体クロマトグラフィーを用いて特性解明すること；  (f)Xanthoceras Sorbifolia抽出物を、（HPLC）高圧液体クロマトグラフィーの結果に基づいて成分に分離すること；  (g)細胞傷害性に関して各成分をスクリーニングすること；  (h)細胞活性アッセイを用いて各成分を分析し、活性成分を確定すること；  (i)活性成分を精製すること；および、  (j)活性成分における化合物の化学的構造をNMR分析によって確定すること  の諸工程を含む前記方法であって、  前記有機溶媒は、エタノール、メタノール、エーテル、クロロフォルム、アルコール、またはアセトンであり、  前記Xanthoceras Sorbifolia粉末の、前記有機溶媒に対する比率は、1:2の比であり、  前記(a)の抽出工程は、4-5回で、各回20-35時間であり、  前記環流工程(c)は、2-3回実行され、  前記細胞活性アッセイはMTTアッセイである。
【請求項７】
サポニンを含む、Xanthoceras Sorbifolia抽出物を含む組成物であって、  前記Xanthoceras Sorbifoliaから抽出物を調製する方法は、  i.  Xanthoceras Sorbifolia粉末を、適当量の1種以上の有機溶媒によって適当時間抽出して、有機抽出物を形成すること；  ii.  有機抽出物を収集すること；  iii.  有機抽出物を有機溶媒と適当な時間環流して第二抽出物を形成すること；  iv.  第二抽出物から有機溶媒を除去すること；および、  v.  第二抽出物を乾燥し滅菌して、Xanthoceras Sorbifolia抽出物粉末を形成すること、  の諸工程を含む前記方法であって、  前記Xanthoceras Sorbifolia粉末は、Xanthoceras Sorbifolia天然木の種皮、枝、幹、葉、核、根、樹皮、または種殻から調製され、  前記有機溶媒は、エタノール、メタノール、エーテル、クロロフォルム、アルコール、またはアセトンであり、  前記Xanthoceras Sorbifolia粉末の、前記有機溶媒に対する比率は、1:2の比であり、  前記(i)の抽出工程は、4-5回で、各回20-35時間であり、  前記環流工程(iii)は、2-3回実行されることを特徴とする方法。
【請求項８】
請求項７の抽出物の有効量を含む、腫瘍またはガン細胞増殖を抑制することが可能な組成物であって、前記ガンは、乳ガン、白血球ガン、肝臓ガン、卵巣ガン、膀胱ガン、前立腺ガン、皮膚ガン、骨ガン、または脳のガンであることを特徴とするの組成物。
【請求項９】
尿量を低減する、または排尿頻度を下げる又は学習能力を向上させる組成物であって、請求項1から３のいずれか1つの化合物、または、請求項７の化合物の有効量を含む、前記組成物。
【手続補正書】
【提出日】平成19年8月21日(2007.8.21)
【手続補正１】
【補正対象書類名】明細書
【補正対象項目名】００７４
【補正方法】変更
【補正の内容】
【００７４】
２４週の二重盲検無作為化プラセボ対照試験を、リバビリン／Peg-Intron 治療に応答しなかった３１人の患者で行った。患者は、３つの群に分けられた。３つの群は全てリバビリン／Peg-Intron 治療を受けた。第１群はプラセボを投与され、他方、第２群はVX-497を２５mg、１日２回投与された。第３群は本発明に従った用量のVX-497を投与された。
【手続補正２】
【補正対象書類名】明細書
【補正対象項目名】００７５
【補正方法】変更
【補正の内容】
【００７５】
本発明に記載の用量でリバビリン、Peg-Intron、およびVX-497を投与された第３群の８０％以上の患者が、２４週の最後にＨＣＶ−ＲＮＡの検出不可能なレベルを達成していた。
【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
式ＩＩ：
【化１】
2007508325.tif 000001
の実質的に純粋な化合物であって、ここで、ｎは１〜５の数である、化合物。
【請求項２】
限られた肝毒性効果を伴う鎮痛活性を示す薬学的組成物であって、請求項１に記載の式ＩＩの少なくとも１つの化合物を含む、薬学的組成物。
【請求項３】
疼痛の処置のための組成物であって、該組成物は、請求項１に記載の化合物の有効量を含む、組成物。
【請求項４】
式ＩＩ：
【化２】
2007508325.tif 000002
の化合物を調製するためのプロセスであって、以下：
式Ｉ：
【化３】
2007508325.tif 000003
の化合物と水酸化ナトリウム水溶液とを反応させて、式ＩＩの化合物を得る工程であって、ここで、ｎは１〜５の数である、工程
を包含する、方法。
【請求項５】
鎮痛性組成物であって、
（ａ）オピオイド鎮痛薬；
（ｂ）一般式：
【化４】
2007508325.tif 000004
の非麻酔性鎮痛薬であって、ここで、ｎは１〜５の数である、非麻酔性鎮痛薬；および
（ｃ）薬学的に受容可能なキャリア
の安全かつ薬学的に有効な量を含む、組成物。
【請求項６】
前記オピオイド鎮痛薬が、アヘンのフェナントレンアルカロイドである、請求項５に記載の組成物。
【請求項７】
前記オピオイド鎮痛薬が、モルヒネアナログである、請求項５に記載の組成物。
【請求項８】
前記オピオイド鎮痛薬が、テバインの合成誘導体である、請求項５に記載の組成物。
【請求項９】
前記オピオイド鎮痛薬が、モルフィナン誘導体である、請求項５に記載の組成物。
【請求項１０】
前記オピオイド鎮痛薬が、ベンゾモルファン誘導体である、請求項５に記載の組成物。
【請求項１１】
前記オピオイド鎮痛薬が、ピペリジン誘導体である、請求項５に記載の組成物。
【請求項１２】
前記オピオイド鎮痛薬が、鎖状のオピオイド鎮痛薬である、請求項５に記載の組成物。
【請求項１３】
鎮痛性組成物であって、
（ａ）非オピオイド鎮痛薬；
（ｂ）一般式：
【化５】
2007508325.tif 000005
非麻酔性鎮痛薬であって、ここで、ｎは１〜５の数である、非麻酔性鎮痛薬；および
（ｃ）薬学的に受容可能なキャリア
の相乗的、安全かつ薬学的に有効な量を含む、組成物。
【請求項１４】
前記非オピオイド鎮痛薬が、ＮＭＤＡレセプターアンタゴニストである、請求項１３に記載の組成物。
【請求項１５】
前記非オピオイド鎮痛薬が、α２アドレナリン作動性レセプターアゴニストである、請求項１３に記載の組成物。
【請求項１６】
前記非オピオイド鎮痛薬が、モノアミン再取込みインヒビターである、請求項１３に記載の組成物。
【請求項１７】
前記非オピオイド鎮痛薬が、混合アゴニスト−アンタゴニスト鎮痛薬である、請求項１３に記載の組成物。
【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
式Ｉ：
【化１】
2007508394.tif 000001
Ｉ
［式中：
Ｒ１、Ｒ２およびＲ３は、独立して、Ｈ、ＯＨ、アルキル、アルコキシ、アルカノイルオキシ、ＣＦ３、ハロまたはメチレンジオキシであり；
Ｒ４はその結合する炭素原子と一緒になって炭素数４ないし８のシクロアルキル環を形成し；
Ｒ５、Ｒ６およびＲ７は、独立して、Ｈまたは（Ｃ１−Ｃ４）アルキルである：ただし、Ｒ５、Ｒ６およびＲ７のうち少なくとも一つはＨ以外の基であるか；または
Ｒ５およびＲ６はＲ６の結合する窒素原子と一緒になって複素環式環を形成し；
ｍは１、２または３であり；および
ｎは０、１、２または３である］
で示される化合物またはその医薬上許容される塩。
【請求項２】
Ｒ１がハロゲン、メトキシおよびトリフルオロメチルであるところの、請求項１記載の化合物。
【請求項３】
Ｒ２が水素、ハロゲン、メトキシまたはトリフルオロメチルであるところの、請求項１または請求項２記載の化合物。
【請求項４】
Ｒ３が水素であるところの、請求項１ないし３のいずれか一項に記載の化合物。
【請求項５】
ｎが０であるところの、請求項１ないし４のいずれか一項に記載の化合物。
【請求項６】
ｍが１であるところの、請求項１ないし５のいずれか一項に記載の化合物。
【請求項７】
Ｒ５およびＲ７が、各々、水素およびメチルから選択されるところの、請求項１ないし６のいずれか一項に記載の化合物。
【請求項８】
Ｒ６が水素またはメチルであるところの、請求項１ないし７のいずれか一項に記載の化合物。
【請求項９】
ｎが０であり、１Ｓ−エナンチオマーであるところの、請求項１ないし８のいずれか一項に記載の化合物。
【請求項１０】
１−［１−（３−クロロフェニル）−２−ピペラジン−１−イルエチル］シクロヘキサノール；
１−｛１−（３−クロロフェニル）−２−［（３Ｒ,５Ｓ）−３,５−ジメチルピペラジン−１−イル］エチル｝シクロヘキサノール；
１−［１−（３−ブロモフェニル）−２−ピペラジン−１−イルエチル］シクロヘキサノール；
１−｛１−（３−クロロフェニル）−２−［（３Ｓ）−３−メチルピペラジン−１−イル］エチル｝シクロヘキサノール；
１−｛１−（３−クロロフェニル）−２−［（３Ｒ）−３−メチルピペラジン−１−イル］エチル｝シクロヘキサノール；
１−［１−（３,４−ジクロロフェニル）−２−ピペラジン−１−イルエチル］シクロヘキサノール；
１−［１−（３−ブロモフェニル）−２−ピペラジン−１−イルエチル］シクロヘプタノール；
１−［１−（３−クロロフェニル）−２−ピペラジン−１−イルエチル］シクロヘプタノール；
１−［１−（３−フルオロフェニル）−２−ピペラジン−１−イルエチル］シクロヘキサノール；
１−［１−（３−クロロフェニル）−２−ピペラジン−１−イルエチル］シクロペンタノール；
１−［１−（４−フルオロフェニル）−２−ピペラジン−１−イルエチル］シクロヘキサノール；
１−［１−（４−ブロモフェニル）−２−ピペラジン−１−イルエチル］シクロブタノール；
１−［１−（３−ブロモ−４−メトキシフェニル）−２−ピペラジン−１−イルエチル］シクロペンタノール；
１−｛２−ピペラジン−１−イル−１−［３−（トリフルオロメチル）フェニル］エチル｝シクロブタノール；
１−｛２−（４−メチルピペラジン−１−イル）−１−［３−（トリフルオロメチル）フェニル］エチル｝シクロブタノール；
１−［１−（３−ブロモフェニル）−２−ピペラジン−１−イルエチル］シクロペンタノール；
１−［１−（４−ブロモフェニル）−２−ピペラジン−１−イルエチル］シクロヘキサノール；
１−［１−（４−クロロフェニル）−２−ピペラジン−１−イルエチル］シクロブタノール；
１−［１−（４−フルオロフェニル）−２−ピペラジン−１−イルエチル］シクロブタノール；
１−［１−（４−ブロモフェニル）−２−ピペラジン−１−イルエチル］シクロブタノール；
１−［１−（４−ブロモフェニル）−２−（４−メチルピペラジン−１−イル）エチル］シクロブタノール；
１−［１−（３−フルオロフェニル）−２−ピペラジン−１−イルエチル］シクロブタノール；
１−［１−（３−クロロフェニル）−２−ピペラジン−１−イルエチル］シクロブタノール；
１−［１−（３−クロロフェニル）−２−（４−メチルピペラジン−１−イル）エチル］シクロブタノール；
１−［１−（２−フルオロフェニル）−２−ピペラジン−１−イルエチル］シクロヘキサノール；
１−［１−（４−クロロフェニル）−２−ピペラジン−１−イルエチル］シクロヘキサノール；
１−［１−（３−ブロモフェニル）−２−ピペラジン−１−イルエチル］シクロブタノール；
１−［１−（２−フルオロフェニル）−２−ピペラジン−１−イルエチル］シクロブタノール；
１−［１−（３−フルオロフェニル）−２−（４−メチルピペラジン−１−イル）エチル］シクロブタノール；
１−［１−（４−クロロフェニル）−２−（４−メチルピペラジン−１−イル）エチル］シクロブタノール；
１−［１−（２−フルオロフェニル）−２−（４−メチルピペラジン−１−イル）エチル］シクロブタノール；
１−［１−（４−フルオロフェニル）−２−（４−メチルピペラジン−１−イル）エチル］シクロブタノール；
１−［１−（２−ブロモフェニル）−２−ピペラジン−１−イルエチル］シクロヘキサノール；
１−［（１Ｓ）−１−（３−クロロフェニル）−２−ピペラジン−１−イルエチル］シクロヘキサノール；
１−［（１Ｒ）−１−（３−クロロフェニル）−２−ピペラジン−１−イルエチル］シクロヘキサノール；
１−［１−（３−クロロフェニル）−２−ピペラジン−１−イルエチル］シクロオクタノール；
１−［１−（３−ブロモフェニル）−２−ピペラジン−１−イルエチル］シクロオクタノール；
１−［１−（３−ブロモ−４−メトキシフェニル）−２−ピペラジン−１−イルエチル］シクロオクタノール；
１−［１−（３−クロロフェニル）−２−（４−メチルピペラジン−１−イル）エチル］シクロオクタノール；
１−［１−（３−ブロモフェニル）−２−（４−メチルピペラジン−１−イル）エチル］シクロオクタノール；または
その医薬上許容される塩であるところの、請求項１記載の化合物。
【請求項１１】
二塩酸塩の形態であるところの、請求項１ないし１０のいずれか一項に記載の化合物。
【請求項１２】
ａ：請求項１ないし１１に記載の少なくとも一つの化合物またはその医薬上許容される塩；および
ｂ：少なくとも一つの医薬上許容される担体
を含む、ノルエピネフリン再取り込みにより改善される症状の治療または予防用組成物。
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
血管新生に関連した症状の治療のための、必要とするヒト患者に、パクリタキセル約０．２５ｍｇ〜約６０ｍｇ／前期患者体重ｋｇの一月量で投与するための、少なくとも１つのカチオン脂質約３０〜約９９．９モル％、少なくとも約０．１モル％の量でパクリタキセル及び少なくとも１つの中性及び／又はアニオン脂質約０〜約７０モル％を含有するカチオンリポソーム製剤を含有する医薬組成物。
【請求項２】
前記カチオンリポソーム製剤を、１日に少なくとも１回投与する、請求項１記載の医薬組成物。
【請求項３】
前記カチオンリポソーム製剤の投与が、
（ｉ）最初の週に少なくとも３回、特に３〜５回、その後に投与なしで１〜３週間の間隔、及び場合によりこのプロトコルの１回又は複数回の繰り返し、
（ｉｉ）最初の週に１回、その後に投与なしで少なくとも１週間、特に１〜３週間の間隔、及び場合によりこのプロトコルの１回又は複数回の繰り返し、
（ｉｉｉ）１週又は連続した複数週にわたって１週間に１回、又は
（ｉｖ）（ｉ）、（ｉｉ）、及び／又は（ｉｉｉ）の組み合わせ
である、請求項１又は２記載の医薬組成物。
【請求項４】
血管新生に関連した症状の治療のための、少なくとも１つの更なる活性成分の有効量及び／又は温熱療法及び／又は放射線療法及び／又は寒冷療法と共同での、同時の、別々の又は一連の併用療法のための、少なくとも１つのカチオン脂質約３０〜約９９．９モル％、少なくとも約０．１モル％の量でパクリタキセル及び少なくとも１つの中性及び／又はアニオン脂質約０〜約７０モル％を含有するカチオンリポソーム製剤を含有する医薬組成物。
【請求項５】
前記カチオンリポソーム製剤が、ＤＯＴＡＰ、ＤＯＰＣ、及びパクリタキセル、５０：４７：３モル％を含有する、請求項１から４までのいずれか１項記載の医薬組成物。
【請求項６】
創傷治癒、癌、炎症性疾患又は慢性的な炎症性疾患、例えば関節リウマチ、皮膚炎、乾癬、又は子宮内膜症を治療するための、請求項１から５までのいずれか１項記載の医薬組成物。
【請求項７】
薬剤耐性細胞の発生に関連しかつ／または付随する疾病の予防又は治療のための、例えば薬剤耐性腫瘍の予防又は治療のための、少なくとも１つのカチオン脂質約３０〜約９９．９モル％、少なくとも約０．１モル％の量で活性成分及び少なくとも１つの中性及び／又はアニオン脂質約０〜約７０モル％を含有するカチオンリポソーム製剤を含有する医薬組成物。
【請求項８】
前記カチオンリポソーム製剤が、ＤＯＴＡＰ、ＤＯＰＣ、及びパクリタキセル、５０：４７：３モル％を含有する、請求項７記載の医薬組成物。
【請求項９】
転移形成、例えば発現及び／又は進行、特に腫瘍の疾病に関連しかつ／または付随する転移形成の予防又は治療のための、少なくとも１つのカチオン脂質約３０〜約９９．９モル％、少なくとも約０．１モル％の量で活性成分及び少なくとも１つの中性及び／又はアニオン脂質約０〜約７０モル％を含有するカチオンリポソーム製剤を含有する医薬組成物。
【請求項１０】
転移の発現及び／又は進行、例えば腫瘍に関連しかつ／または付随する転移の発現及び／又は進行に抗する、少なくとも１つの更なる活性成分の有効量及び／又は温熱療法及び／又は放射線療法及び／又は寒冷療法との共同での、同時の、別々の又は一連の併用療法のための、少なくとも１つのカチオン脂質約３０〜約９９．９モル％、少なくとも約０．１モル％の量で活性成分及び少なくとも１つの中性及び／又はアニオン脂質約０〜約７０モル％を含有するカチオンリポソーム製剤を含有する医薬組成物。
【請求項１１】
前記活性成分は、細胞毒性の又は細胞分裂抑制性の物質、例えば抗腫瘍性の又は抗内皮細胞性の活性物質、化学療法剤又は免疫学的活性物質から選択される、請求項７から１０までのいずれか１項記載の医薬組成物。
【請求項１２】
前記カチオンリポソーム製剤が、ＤＯＴＡＰ、ＤＯＰＣ、及びパクリタキセル、５０：４７：３モル％を含有する、請求項９から１１までのいずれか１項記載の医薬組成物。
【請求項１３】
前記の更なる活性成分は、抗内皮細胞性の活性物質、抗腫瘍性の活性物質、化学療法剤、免疫学的活性物質、過敏反応を減少させるか又は消去する化合物又は化学増感剤である、請求項４又は１０記載の医薬組成物。
【請求項１４】
癌、特に膵癌、手術不可能な膵癌、消化管癌、肺癌、結腸直腸癌又は胃癌、乳癌、前立腺癌、及びメラノーマの治療のための、請求項１から１３までのいずれか１項記載の医薬組成物。
【請求項１５】
前記カチオンリポソーム製剤は、平均粒子直径約２５ｎｍ〜約５００ｎｍ、有利には約１００ｎｍ〜約３００ｎｍを有するリポソームを含有する、請求項１から１４までのいずれか１項記載の医薬組成物。
【請求項１６】
必要とするヒト患者に、パクリタキセル約９ｍｇ〜約２３３７ｍｇ／前記ヒト患者体表ｍ２の一月量で投与するための医薬組成物の製造のための、少なくとも１つのカチオン脂質約３０〜約９９．９モル％、少なくとも約０．１モル％の量でパクリタキセル及び少なくとも１つの中性及び／又はアニオン脂質約０〜約７０モル％を含有するカチオンリポソーム製剤を含有する医薬組成物。
【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
一般式（Ｉ）に対応する化合物
【化１】
2007508358.tif 000001
（式中、
Ｒ１は、水素原子、または１個またはそれ以上のフッ素原子で場合によって置換されていてもよい直鎖もしくは分岐（Ｃ１−Ｃ７）アルキル基、または（Ｃ３−Ｃ７）シクロアルキル基、または（Ｃ３−Ｃ７）シクロアルキル（Ｃ１−Ｃ３）アルキル基、または１個もしくは２個のメトキシ基で場合によって置換されていてもよいフェニル（Ｃ１−Ｃ３）アルキル基、または（Ｃ２−Ｃ４）アルケニル基、または（Ｃ２−Ｃ４）アルキニル基のいずれかを表し；
Ｘは、水素原子、またはハロゲン原子およびトリフルオロメチルおよび直鎖もしくは分岐（Ｃ１−Ｃ４）アルキルおよび（Ｃ１−Ｃ４）アルコキシ基から選択される１またはそれ以上の置換基を表し；
Ｒ２は、ハロゲン原子および（Ｃ１−Ｃ４）アルキル、（Ｃ１−Ｃ４）アルコキシ、チオ（Ｃ１−Ｃ４）アルキル、またはハロゲン原子およびトリフルオロメチル、（Ｃ１−Ｃ４）アルキルおよび（Ｃ１−Ｃ４）アルコキシ基から選択される１またはそれ以上の置換基で場合によって置換されていてもよいフェニル基から選択される１またはそれ以上の置換基で場合によって置換されていてもよい、ナフチル、ピリジニル、ピリミジニル、ピラジニル、ピリジル、トリアジニル、インダニル、インデニル、キノリル、イソキノリル、キナゾリル、キノキサリル、フタラジニル、チエニル、フリル、ピロリル、イミダゾリル、ピラゾリル、オキサゾリル、チアゾリル、イソオキサゾリル、イソチアゾリル、チアジアゾリル、オキサジアゾリル、トリアゾリル、ベンゾチエニル、ベンゾフリル、ベンゾイミダゾリル、ベンゾチアゾリル、インドリル、イソインドリル、インダゾリル、ベンゾオキサゾリル、ベンゾイソオキサゾリル、ベンゾトリアゾリル、ベンゾイソチアゾリル、ジヒドロインドリル、ピロロピリジル、フロピリジル、チエノピリジル、イミダゾピリジル、オキサゾロピリジル、チアゾロピリジル、ピラゾロピリジル、イソオキサゾロピリジル、イソチアゾロピリジル、テトラヒドロキノリル、およびテトラヒドロイソキノリニル基から選択される基を表す）
であって、遊離塩基または酸付加塩の形態の化合物。
【請求項２】
請求項１に記載の化合物からなることを特徴とする、医薬。
【請求項３】
請求項１に記載の化合物を、賦形剤と組合せて含むことを特徴とする、薬剤組成物。
【請求項４】
認知症、精神病に関連する行動障害、多様な形の不安神経症、パニック発作、恐怖症、強迫性障害、多様な形の鬱病、アルコール中毒もしくはアルコールを断つことに起因する障害、性行動障害、摂食障害および偏頭痛を治療するための医薬を製造するための、請求項１に記載の化合物の使用。
【請求項５】
拘縮、疼痛、パーキンソン病およびパーキンソン病様症状、癲癇、混合型およびこの他の癲癇症候群を別の抗癲癇薬治療に加えてまたは単独療法で、ならびに睡眠時無呼吸を治療するための、また神経保護のための医薬を製造するための、請求項１に記載の化合物の使用。
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
女性患者の性欲の欠乏及び／又はオルガスム到達障害の治療に適した薬剤の製造におけるＬＨ（黄体形成ホルモン）の使用。
【請求項２】
前記薬剤は非経口で投与される、請求項１に記載のＬＨの使用。
【請求項３】
前記薬剤は錠剤を用いて経口で投与される、請求項１に記載のＬＨの使用。
【手続補正２】
【補正対象書類名】明細書
【補正対象項目名】発明の名称
【補正方法】変更
【補正の内容】
【発明の名称】女性患者の性欲の促進及びオルガスム到達のための薬剤における黄体形成ホルモンの使用
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
雄性ホルモン、シルデナフィルおよびそれらの配合物からなる群より選択される有効成分を含むエアロゾル化製剤、ならびに製剤をエアロゾル化するためのエアロゾル送達装置を含む、勃起障害を治療するためのシステム。
【請求項２】
エアロゾル化されたシルデナフィルがもたらす望ましい効果が30分未満である、請求項1記載のシステム。
【請求項３】
エアロゾル化されたシルデナフィルがもたらす望ましい効果が20分未満である、請求項2記載のシステム。
【請求項４】
エアロゾル化されたシルデナフィルがもたらす望ましい効果が10分未満である、請求項3記載のシステム。
【請求項５】
雄性ホルモンがテストステロンおよびジヒドロテストステロンからなる群より選択される、請求項1記載のシステム。
【請求項６】
エアロゾル送達装置が直径が約1〜約5μmの範囲にあるエアロゾル化粒子をもたらす、請求項1記載のシステム。
【請求項７】
製剤が液体製剤である、請求項1〜6のいずれか一項記載のシステム。
【請求項８】
製剤が乾燥粉末製剤である、請求項の1〜7いずれか一項記載のシステム。
【請求項９】
製剤が加圧噴射剤を含む、請求項1〜8のいずれか一項記載のシステム。
【請求項１０】
一つまたは複数のPDE5阻害剤、成長ホルモン放出ペプチド受容体アゴニスト、5-ヒドロキシトリプタミン受容体アゴニスト、ドーパミン受容体アゴニスト、メラノコルチン受容体アゴニスト、α-アドレナリン受容体拮抗剤、アルプロスタジル、パパベリン、フェントラミン、血管作用性小腸ペプチド、グアニル酸シクラーゼ、ρ-キナーゼ拮抗剤、オキシトシン、オキシトシン受容体アゴニスト、神経ペプチドY阻害剤、およびそれらの配合物からなる群より選択される有効成分を含むエアロゾル化製剤、ならびに製剤をエアロゾル化するためのエアロゾル送達装置を含む、勃起障害を治療するためのシステム。
【請求項１１】
エアロゾル送達装置が直径が約1〜約5μmの範囲にあるエアロゾル化粒子をもたらす、請求項10記載のシステム。
【請求項１２】
シルデナフィルを含むエアロゾル化製剤、ならびに製剤をエアロゾル化するためのエアロゾル送達装置を含む、勃起障害を治療するためのシステム。
【請求項１３】
エアロゾル送達装置が直径が約1〜約5μmの範囲にあるエアロゾル化粒子をもたらす、請求項12記載のシステム。
【請求項１４】
製剤が液体製剤である、請求項12記載のシステム。
【請求項１５】
製剤が乾燥粉末製剤である、請求項12記載のシステム。
【請求項１６】
製剤が加圧噴射剤を含む、請求項12記載のシステム。
【請求項１７】
シルデナフィルがシルデナフィル塩である、請求項12記載のシステム。
【請求項１８】
シルデナフィル塩がクエン酸シルデナフィルである、請求項17記載のシステム。
【手続補正書】
【提出日】平成19年5月24日(2007.5.24)
【手続補正１】
【補正対象書類名】明細書
【補正対象項目名】００３０
【補正方法】変更
【補正の内容】
【００３０】
（エンド）−３−（２−メトキシ−２，２−ジ−チオフェン−２−イル−エチル）−８，８−ジメチル−８−アゾニア−ビシクロ［３．２．１］オクタンヨウ化物
２−（８−メチル−８−アザビシクロ［３．２．１］オクタ−３−イル）−１，１−ジチオフェン−２−イル−エタノール（ＵＳ２８００４８１にしたがって調製された）（２１２ｍｇ，０．６４ｍｍｏｌ）の５ｍＬメチルレンクロリドおよびヨードメタン（０．４０ｍＬ，６．４ｍｍｏｌ）中溶液に、５０％水性水酸化カリウム（０．２５ｍＬ，３．２ｍｍｏｌ）および塩化テトラブチルアンモニウム（５ｍｇ，３ｍｏｌ％）を加えた。反応混合物を５日間熱還流した。毎日、さらに０．２ｍＬのヨードメタンおよび０．１ｍＬの水酸化カリウムを加えた。完了した後、反応混合物を室温に冷却し、メチレンクロリドで希釈し、水で洗浄した。水層をメチレンクロリドで抽出し、合わせた有機層をブラインで洗浄し、ＭｇＳＯ４で乾燥させ、真空下で濃縮した。粗生産物をメチレンクロリド／酢酸エチルから再結晶化して、１０９ｍｇの標題化合物を得た。ＬＣＭＳ（ＥＳ）ｍ／ｚ３６２（Ｍ）＋
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
(1)下記の式（ＩＡ）で表される2,3-二置換トロパン成分を含むモノアミン神経伝達物質再取り込みインヒビター、又は互変異性体、医薬的に許容され得る塩、溶媒和化合物、又は生理学的に機能するそれらの誘導体、及び(2)ドネペジル、リバスチグミン、タクリン、ガランタミン、フェンセリン及びフィゾスチグミンからなる群より選ばれる少なくとも一つのアセチルコリンエステラーゼインヒビター又は医薬的に許容され得る塩、溶媒和化合物、又は生理学的に機能するそれらの誘導体、及び医薬的に許容され得るキャリヤー又は賦形剤を含み、及び所望により一つ以上の他の治療成分を含んでもよい医薬組成物。
【化１】
2007508336.tif 000001
【請求項２】
(1)一般式(IA)の化合物又は医薬的に許容され得るそれらの塩、及び(2)ドネペジル、リバスチグミン、タクリン、ガランタミン、フェンセリン及びフィゾスチグミンからなる群より選ばれる一つのアセチルコリンエステラーゼインヒビター又は医薬的に許容され得る塩、溶媒和化合物又は生理学的に機能するそれらの誘導体、及び医薬的に許容され得るキャリヤー又は賦形剤から本質的になる、請求項１に記載の医薬組成物。
【化２】
2007508336.tif 000002
【請求項３】
アセチルコリンエステラーゼインヒビターが、ドネペジル、リバスチグミン及びガランタミンからなる群より選ばれる請求項１又は２記載の医薬組成物。
【請求項４】
経口、血管内、静脈内、腹腔内、皮下、筋肉内又は局所、又はパッチ又は坐剤投与が適している、請求項１〜３のずれか１項に記載の医薬組成物。
【請求項５】
(1)対(2)の質量比が、50:1〜1:300である、請求項１〜４のいずれか１項に記載の医薬組成物。
【請求項６】
単回適用量が、組み合わせの活性成分(1)及び(2)を0.05〜10,000ミリグラム含む、請求項１〜５のいずれか１項に記載の医薬組成物。
【請求項７】
医薬的に許容され得るキャリヤー又は賦形剤が、コーンスターチ、セルロース、カルボキシメチルセルロース、ヒドロキシプロピルメチルセルロース、乳糖、ショ糖、ソルビトール、タルク、二酸化シリコン、ポリエチレングリコール、ステアリン酸、ステアリン酸マグネシウム及びリン酸二カルシウムからなる群より選ばれる、請求項１〜６のいずれか１項に記載の医薬組成物。
【請求項８】
(1)下記の式（ＩＡ）で表される2,3-二置換トロパン成分を含むモノアミン神経伝達物質再取り込みインヒビター、又は互変異性体、医薬的に許容され得る塩、溶媒和化合物、又は生理学的に機能するそれらの誘導体、及び(2)ドネペジル、リバスチグミン、タクリン、ガランタミン、フェンセリン及びフィゾスチグミンからなる群より選ばれる少なくとも一つのアセチルコリンエステラーゼインヒビター又は医薬的に許容され得る塩、溶媒和化合物、又は生理学的に機能するそれらの誘導体の、組み合わせの形態、又は、別々又は別々及び逐次における（逐次投与は時間的に近いか又は離れている）、疾患又は症候の予防又は治療用薬剤製造のための使用であって、その疾患又は症候がモノアミン神経伝達物質再取り込み阻害及び又はAChE阻害に応答する前記使用。
【化３】
2007508336.tif 000003
【請求項９】
疾患又は症候が、偽痴呆、痴呆、アルツハイマー病、初老期痴呆、老人性痴呆、レビー体痴呆、ダウン症候群、フロントテンポラル痴呆、HIV関連性痴呆、ピック病、多発脳梗塞性痴呆、記憶障害、注意欠陥多動障害、認知機能障害、記憶機能障害、緩和な認知障害、加齢に伴う記憶障害、加齢に関連する認知障害、加齢関連性認知障害及び多臓器系アトロフィからなる群より選ばれる、疾患又は症候の予防又は治療用薬剤製造のための、請求項８に記載の使用。
【請求項１０】
疾患又は症候が、アルツハイマー型痴呆である請求項９記載の使用。
【請求項１１】
少なくとも二つの別々の単位投与形態(A)及び(B)を含む医薬のキット：
(A)  (1)下記の式（ＩＡ）で表される2,3-二置換トロパン成分を含むモノアミン神経伝達物質再取り込みインヒビター、又は互変異性体、医薬的に許容され得る塩、溶媒和化合物、又は生理学的に機能するそれらの誘導体の組成物、及び所望により医薬的に許容され得るキャリヤーを含むもの；
【化４】
2007508336.tif 000004
(B)  (2)ドネペジル、リバスチグミン、タクリン、ガランタミン、フェンセリン及びフィゾスチグミンからなる群より選ばれる一つ以上のアセチルコリンエステラーゼインヒビター又は医薬的に許容され得る塩、溶媒和化合物、又は生理学的に機能するそれらの誘導体、及び所望により医薬的に許容され得るキャリヤーを含む組成物を含むもの。
【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
農業において昆虫類、クモ形類および線虫類を防除するための、以下：【表１】
2007508335.tif 000001
から選択される活性化合物の組合せの使用。
【請求項２】
種子を保護するための、請求項１に記載の混合物の使用。
【請求項３】
以下：【表２】
2007508335.tif 000002
から選択される活性化合物の組合せ。
【請求項４】
種子および生長植物を保護する方法であって、請求項３に記載の活性化合物の組合せを種子に施用することを特徴とする、前記方法。
【請求項５】
請求項３に記載の活性化合物の組合せを用いて処理された種子。
【請求項６】
害虫を防除するための、請求項３に記載の活性化合物の組合せの使用。
【請求項７】
殺有害生物剤を調製する方法であって、請求項３に記載の相乗作用的に活性な混合物を増量剤及び／又は界面活性物質と混合することを特徴とする、前記方法。
【手続補正書】
【提出日】平成19年10月3日(2007.10.3)
【手続補正１】
【補正対象書類名】明細書
【補正対象項目名】００２１
【補正方法】変更
【補正の内容】
【００２１】
エイブルソンチロシンキナーゼ（すなわちＡｂｌ、ｃ−Ａｂｌ）は細胞サイクルの調節、遺伝毒性ストレスに対する細胞応答、およびインテグリンシグナリングを介する細胞環境についての情報の伝達に関与する。全体的にはＡｂｌタンパク質は、種々の細胞外および細胞内供給源からのシグナルを統合し、そして細胞サイクルおよびアポトーシスに関する決定に影響する細胞モジュールとして複雑な役割を果たす。エイブルソンチロシンキナーゼにはチロシンキナーゼ活性が調節解除されているキメラ融合体（腫瘍性タンパク質）ＢＣＲ−Ａｂｌまたはｖ−Ａｂｌのようなサブタイプの誘導体が含まれる。ＢＣＲ−Ａｂｌは慢性骨髄性白血病（ＣＭＬ）の９５％および急性リンパ芽球性白血病の１０％の病因において重要である。ＳＴＩ−５７１（Gleevec）は発癌性ＢＣＲ−Ａｂｌチロシンキナーゼの阻害剤であり、そして慢性骨髄性白血病（ＣＭＬ）の処置に用いられる。しかしながら、ＣＭＬの急性転化段階の患者にはＢＣＲ−Ａｂｌキナーゼにおける変異のためにＳＴＩ−５７１に耐性を示すものもある。今日では２２個を越える変異が報告されており、最も一般的であるのはＧ２５０Ｅ、Ｅ２５５Ｖ、Ｔ３１５Ｉ、Ｆ３１７ＬおよびＭ３５１Ｔである。
【手続補正２】
【補正対象書類名】明細書
【補正対象項目名】０１７０
【補正方法】変更
【補正の内容】
【０１７０】
Ｂｃｒ−ａｂｌの変異形態を発現する細胞の増殖に及ぼす影響
本発明の化合物を、ＳＴＩ５７１に対する耐性を付与するかまたは感受性を低減させる野生型または変異形態のいずれかのＢＣＲ−Ａｂｌ（Ｇ２５０Ｅ、Ｅ２５５Ｖ、Ｔ３１５Ｉ、Ｆ３１７Ｌ、Ｍ３５１Ｔ）を発現するＢａ／Ｆ３細胞に及ぼすその抗増殖効果に関して試験する。変異体ＢＣＲ−Ａｂｌ発現細胞および非形質転換細胞に及ぼすこれらの化合物の抗増殖効果を前記したように（ＩＬ３を欠く培地中で）１０、３.３、１.１および０.３７μＭで試験した。非形質転換細胞において毒性を欠く化合物のＩＣ５０値を前記したように得られた用量応答曲線から決定した。
【手続補正書】
【提出日】平成19年10月5日(2007.10.5)
【手続補正１】
【補正対象書類名】明細書
【補正対象項目名】００１１
【補正方法】変更
【補正の内容】
【００１１】
本明細書全体にわたる先行技術の議論は、このような先行技術が、当該分野において周知であることまたは全般知識の一部を形成することの容認として捉えられるべきではない。
【特許文献１】米国特許第６，０９７，９７３号明細書
【特許文献２】米国特許第６，０６１，５７７号明細書
【特許文献３】米国特許第５，７１４，８６３号明細書
【誤訳訂正書】
【提出日】平成19年9月6日(2007.9.6)
【誤訳訂正１】
【訂正対象書類名】明細書
【訂正対象項目名】００３１
【訂正方法】変更
【訂正の内容】
【００３１】
一実施形態では、投機状態表示は単一の状態ビットであり、関連するデータ値が投機的であればセットされ、そうでなければクリアされる。実行コア１２４は、データ値を生成するのに用いられたオペランドのいずれかが投機的であれば、そのデータ値に対して投機状態表示をセットするように構成される。ロード／ストアユニット１２６は、あるデータ値が投機的であるか否かを示すために（例えば、もしロード処理が計算されていないアドレスとともにストア処理を転送することを許可されているとすると、結果としてのデータ値は投機的になりうる）、そのデータ値に関連する投機状態表示を設定するように構成されうる。同様に、記憶位置（例えば、レジスタファイル１１６）がある処理の結果を記憶するために割り当てられているとき、もしその処理のオペランドがいずれかが投機的であるか、またはその処理そのものが投機的であるならば、その記憶位置内の投機状態表示はセットされる。例えば、ある記憶位置がロード処理の結果に対して割り当てられているならば、そのロード処理の結果に対する投機状態表示が設定されうる。その理由は、そのロードはデータキャッシュ１２８をミスするかもしれず、または計算されていないアドレスを持つストア処理を転送するかもしれないからである。もしレジスタマップ１３４が投機的レジスタ状態を追跡するために用いられるのであれば、同じ論理レジスタにマップされたレジスタファイル１１６内の物理レジスタは異なった投機状態表示（speculation status indication）を有する。
【誤訳訂正２】
【訂正対象書類名】明細書
【訂正対象項目名】００３３
【訂正方法】変更
【訂正の内容】
【００３３】
図２−スケジューラ
図２は、処理を再発行するように構成されたスケジューラ１１８の一実施形態を示す。スケジューラ１１８はスケジューラ制御ユニット３０４と処理記憶３０２とを含む。スケジューラ制御ユニット３０４は処理に対するエントリを割り当て、そして割り当てを取り消すために処理記憶３０２を制御する。スケジューラ制御ユニット３０４は、ディスパッチユニット１０４によってある処理がスケジューラにディスパッチされたときに、処理記憶３０２にその処理のためのエントリ３２０を割り当てる。エントリ３２０は、その処理に対して実行される投機のいずれかまたはその処理のオペランドのいずれかが解決し、その投機の結果（例えば、投機の成功または失敗）が依存する処理（例えば、オペランド値がその処理の結果として生成される処理）のいずれかに対して転送されるまで、その処理に対して割り当てられ続ける。
【手続補正書】
【提出日】平成18年11月21日(2006.11.21)
【手続補正１】
【補正対象書類名】特許請求の範囲
【補正対象項目名】請求項５
【補正方法】変更
【補正の内容】
【請求項５】
請求項２に記載の対物レンズシステムであって、
前記薄いペリクルは、厚さが約２ミクロンを下回るペリクルを含み、前記厚いペリクルは、厚さが約３００ミクロンを上回るペリクルを含む、対物レンズシステム。
【手続補正２】
【補正対象書類名】特許請求の範囲
【補正対象項目名】請求項６
【補正方法】変更
【補正の内容】
【請求項６】
請求項２に記載の対物レンズシステムであって、
前記厚いペリクルは、厚さが約８００ミクロンのペリクルを含む、対物レンズシステム。
【手続補正３】
【補正対象書類名】明細書
【補正対象項目名】００２１
【補正方法】変更
【補正の内容】
【００２１】
図２（ａ）および図２（ｂ）は、このような対物レンズシステムの一実施形態について、二つの動作モードの例を示した説明図である。図２（ａ）は、対物レンズシステム２０１の有限共役側に設けられた第１の光学素子群２０２と、対物レンズシステム２０１の無限共役側に設けられた第２の光学素子群２０３と、を有する対物レンズシステム２０１を示している。第１の光学素子群２０２は、第１の光学素子群２０２を通過する光に対し、高い開口数を実現し、長めの作動距離を生成し、収差を低減させ、ビーム収縮を実現するように構成される。
【手続補正４】
【補正対象書類名】明細書
【補正対象項目名】００２４
【補正方法】変更
【補正の内容】
【００２４】
やはり図２（ａ）および図２（ｂ）について、図示された対物レンズシステム２０１は、（対物レンズシステム２０１の無限共役側に設けられた）第２の光学素子群２０３を含む。第２の光学素子群２０３は、光学収差の補償部として機能する再構成可能な光学素子群である。図示された実施形態において、第２の光学素子群２０３は、二つの動作モードを有する。図２（ａ）は、第２の光学素子群２０３が第１の動作モードを取るように構成された状態を示している。第１のモードにあるとき、第２の光学素子群２０３は、レンズシステム２０１による、薄膜状ペリクルを通したまたはペリクルを通さない検査表面の検査を可能にする。
【手続補正５】
【補正対象書類名】明細書
【補正対象項目名】００２７
【補正方法】変更
【補正の内容】
【００２７】
この設計の洗練されている点は、フォトマスク（または他の対象）の撮像が、厚いペリクルおよび薄いペリクルのいずれを通して（またはペリクルを通さないで）行われるかに寄らず、対物レンズシステムの有限共役側全体（例えば、７、８、９、または場合によってはそれ以上の数の要素を定めている第１の光学素子群２０２）が、全く同じまま維持されることにある。これらの光学素子は、一般に、サイズが大きめで且つ製造がより困難なレンズを含み、光学的にも機械的にも厳しい取付け精度を要求する。このように、本実施形態は、第２の光学素子群２０３の小素子を二つまたは三つ（または場合によっては一つ）だけ変更することによって、薄いペリクルを通した撮像および厚いペリクルを通した撮像の両方に使用することができる。また、これらの素子２０３（および２０３’）は、一般に、システム２０１の中で最も安価で且つ製造が容易な部品である。
【手続補正６】
【補正対象書類名】明細書
【補正対象項目名】００４３
【補正方法】変更
【補正の内容】
【００４３】
図３（ｂ）は、本発明の原理にしたがった検査システムについて、別の関連の一実施形態を簡単に示した図である。検査ツール３００’は、検査表面３１０’（例えばフォトマスク）に方向付けられる光ビーム３０２’を生成する光源３０１’を含む。ここでは、前述された光源が使用可能である。また、光源３０１’は、リレー光学系、拡大光学系、対物レンズシステム、および当業者によって一般に使用されている他の光学システムなど、他の光学素子を組み込むことができる。光ビーム３０２’は、対象（例えばフォトマスク）３１０’に方向付けられる。対象３１０’は、一般に、対物面３１１’内に配されている。光ビーム３０２’の一部は、対物面３１１’を通過し、更に、光学システム３０５’（このようなシステムは、対物レンズシステムならびに他の光学素子および光学システムを含むことができる）を通過する。対象３１０’を通過して伝わる光は、薄いペリクルまたは厚いペリクル（図中の３１２’で示される）を通過したところで、光学システム３０５’に受信され、結像される。前述のように、光学システム３０５’（図３（ｂ）に図示されている）は、高い開口数、収差の補正、および長い作動距離を実現しつつ、複数のモードで動作するように構成される。重要なのは、光学システム３０５’の有する複数のモードが、検査ツール３００’による、厚いペリクルを通した、薄いペリクルを通した、またはペリクルを全く通さない対象の検査を可能にする点にある。発明者の知る限りにおいて、現在知られているまたは使用されているフォトマスク検査ツールのうち、このような検査の柔軟性を有するものは存在しない。光３０２’は、光学システム３０５’を通過し、更に倍率素子３０８’（および状況に応じて他の光学素子）を通過したところで、検出素子３０６’によって検出される。前述のように、検出素子３０６’は、当業者に知られている様々な光検出素子を範囲に含むことができる。画像処理プロセッサ３０７’は、検出器３０６’からの信号を受信し、検査される対象を解析することによって、欠陥の検出、位置決め、および定量化を行う。なお、図３（ａ）および図３（ｂ）に別々に示されたシステムは、組み合わさることによって単一のシステムを構成しても良く、そのようなシステムは、フォトマスクの照射および撮像を、反射モードおよび透過モードの両モードで行うことができる。
【手続補正７】
【補正対象書類名】明細書
【補正対象項目名】００５５
【補正方法】変更
【補正の内容】
【００５５】
図６（ａ）は、第１の光学素子群５０２をその有限共役側に有する対物レンズシステム５００を図示したものである。第２の光学素子群５０３は、対物レンズシステム５００の無限共役側に設けられている。第１の光学素子群５０２は、第１の光学素子群５０２を通過する光に対し、高い開口数を実現し、比較的長い作動距離を生成し、ビーム収縮を実現するように、構成することができる。第２の光学素子群５０３は、（破線で示された）瞳面５０５を有する。図示されたレンズ構成は、フォトマスクの検査に適している。具体的に言うと、図示されたレンズ構成は、厚いペリクルを有するフォトマスクの検査に適している。
【手続補正８】
【補正対象書類名】明細書
【補正対象項目名】００６８
【補正方法】変更
【補正の内容】
【００６８】
表面Ｓ１２２は、非球面であって、次の式によって記述することができる。
【数１】
2005537505.tif 000001
ここで、Ｘは光軸に沿った距離で、
Ｙは光軸からの高さで、
Ｃは対物レンズアセンブリの曲面の曲率の頂点半径の逆数で、
Ｋは円錐係数で、
ＡＤ〜ＡＧ……は、４次、５次、６次、および１０次の非球面係数である。球面Ｓ１２２，Ｓ１２３の非球面係数の値は、表３Ｄによって与えられる。